(57)【要約】【課題】簡単な構造で製造し易く、種々な形状の換気通路を塞ぐことのない状態に取り付けることのできる防火軒天見切り材と、この防火軒天見切り材を軒天井面材や外壁面材を取り付けた後に取り付けたり交換できる防火軒天構造と、この防火軒天構造を備えた建物及びこの防火軒天構造に施工する防火軒天の施工方法を提供すること。【解決手段】金属製板材を略Ｌ字形に成形し、この略Ｌ字形の一方の片を見切り片５１とし、他方の片を取付片５２とし、この見切り片５１の上面に体積膨張性不燃材５５を取り付けた防火軒天見切り材５。【選択図】  図３
2004251022.tif 000002
【特許請求の範囲】
【請求項１】
金属製板材が略Ｌ字形に成形されて、略Ｌ字形の一方の片が見切り片に他方の片が取付片になされ、この見切り片の上面には、体積膨張性不燃材が取り付けられていることを特徴とする防火軒天見切り材。
【請求項２】
前記体積膨張性不燃材が、火災時の膨張の邪魔にならない防水性シートで覆われていることを特徴とする請求項１記載の防火軒天見切り材。
【請求項３】
前記取付片の取付面には、体積膨張性不燃材が取り付けられていることを特徴とする請求項１記載の防火軒天見切り材。
【請求項４】
軒天井の軒元には、小屋裏に通じる換気通路が設けられ、この軒元から若干下方の外壁面材に、請求項１〜３のいずれかに記載されている防火軒天見切り材の取付片が取り付けられて、この防火軒天見切り材の見切り片と軒天井との間に小屋裏に通じる換気通路が形成されていることを特徴とする防火軒天構造。
【請求項５】
請求項４記載の防火軒天構造が備えられていることを特徴とする建物。
【請求項６】
軒天井の軒元には、小屋裏に通じる換気通路が設けられていて、この軒元から若干下方の外壁面材に、請求項１〜３のいずれかに記載されている防火軒天見切り材の取付片を、見切り片が軒天井の面に対して略平行になる状態に見切り片と取付片との角度を調節して、取り付け、この防火軒天見切りの見切り片と軒天井との間に換気通路を形成することを特徴とする防火軒天の施工方法。
【発明の詳細な説明】
【０００１】
【発明の属する技術分野】
この発明は、防火軒天見切り材と、この防火軒天見切り材を取り付けた防火軒天構造と、この防火軒天構造を備えた建物及びこの防火軒天構造に施工する防火軒天の施工方法に関する。
【０００２】
【従来の技術】
従来、防火軒天構造としては、特許文献１や特許文献２に記載されている構造が知られている。
この特許文献１に記載されている防火軒天構造に使用する防火軒天見切り材は、スリット孔を有する天井面とこの天井面が屋外方向に延設された水平取付片と、天井面の両側から下方に垂下した起立面と、この両側の起立面からそれぞれ屋外方向に突出した天井見切り部と壁見切り部とが一体に設けられ、両側の起立面のどちらか一方に体積膨張性不燃材が取り付けられたものである。
【０００３】
この防火軒天見切り材を使用して防火軒天構造にするには、防火軒天見切り材を、壁見切り部の先端を壁に当接させた状態にして、換気通路に挿入し、水平取付片を天井下地材に取り付けた後に、軒天面材を天井下地材に、水平取付片と天井見切り部の間に先端を挿入した状態に、取り付け、外壁面材を壁見切り部の下方の壁に取り付ける。すると、両側の起立面の間からスリット孔を通って小屋裏に通じる換気通路が形成され、火災時には、どちらかの起立面に設けられた体積膨張性不燃材が膨張して換気通路を塞ぐようになっている。
【０００４】
また、特許文献２に記載されている防火軒天構造に使用する防火軒天見切り材は、天井見切り部材と、壁見切り部材と、換気部材の３部材とからなるものであって、天井見切り部材と壁見切り部材には、それぞれ起立面が設けられ、この起立面のどちからに体積膨張性不燃材が設けられ、換気部材にスリット孔が設けられている。
なお、この天井見切り部材は略コ字形をしていて、この略コ字形の上下のフランジがそれぞれ取付片と見切り部となり、ウエッブが起立面となっている。又、壁見切り部材は略Ｓ字形をしていて、上側のフランジが取付片となり、下側のフランジが見切り部となり、下側のウエッブが起立面となっている。
【０００５】
この防火軒天見切り材を使用して防火軒天構造にするには、天井下地材の端部が略Ｓ字形の上側の凹部の中に入り、壁見切り部材の起立面が天井下地材の下方に垂下する状態にして、上側のフランジである取付片を天井下地材の上側面に取り付けて、壁見切り材を天井下地材に取り付ける。又、壁見切り部材の起立面を天井見切り部材の起立面に対峙させて、天井見切り部材を天井下地材の屋内側端部に取り付ける。又、この壁見切り部材の起立面と天井見切り部材の起立面の上に換気部材を取り付ける。その後、天井見切り部材のコ字形の中に軒天面材の端部を挿入した状態にして、軒天面材を天井下地材に取り付ける。
すると、両方の起立面の間からスリット孔を通って小屋裏に通じる換気通路が形成され、火災時には、どちらかの起立面に設けられた体積膨張性不燃材が膨張して換気通路を塞ぐようになっている。
【０００６】
【特許文献１】
特開２００２−１８８２２４号公報
【特許文献２】
特開２００２−１８８２４１号公報
【０００７】
【発明が解決しようとする課題】
この両方の防火軒天構造は、火災時に、体積膨張性不燃材が膨張して通気通路を塞ぐので、防火性能がよく、優れた防火軒天構造であるが、この防火軒天構造に使用する防火軒天見切り材が極めて複雑な形状をしていて、製造し難い。
また、この防火軒天見切り材は外壁面材と軒天面材との間に換気通路がある場合にのみ取り付けることができる。しかし、換気通路には、例えば、軒元の軒天面材に通孔を設けて、この通孔を換気通路にするというように、種々な換気通路があり、かかる換気通路には、この防火軒天見切り材を取り付けることができず、汎用性に劣るという問題がある。
【０００８】
又、通常、防火軒天見切り材は軒天井より短いので、防火軒天見切り材を軒天井の途中で接続する。また、軒天井には、出隅や入隅等があり、この部分で防火軒天見切り材を接続する。このように軒天防火見切り材を接続する必要があるが、前記防火軒天見切り材は複雑な形状をしているために、接続構造が複雑になり施工し難い。
【０００９】
また、この防火軒天構造に施工するには、防火軒天見切り材を天井下地材に取り付けた後に、特許文献１では、軒天面材を天井見切り部と取付片との間に挿入した状態に取り付けるし、特許文献２では天井見切り部材のコ字形の中に軒天面材を挿入した状態に取り付ける。そのために、軒天井を施工するときに防火軒天見切り材を取り付ける必要があるし、取付順序を誤ると、取り付け難くなり、施工し難い。
【００１０】
従って、防火軒天見切り材を変更したい時や、通常の軒天見切り材をこの防火軒天見切り材に変更したいときや、また、万一火災が生じて体積膨張性不燃材が膨張してしまったり、長年月経過して、体積膨張性不燃材が劣化したとき等では、この防火軒天見切り材を交換する必要があるが、かかる場合には、軒天面材や外壁面材を取り外して、施工する必要があり、極めて不便である。
【００１１】
また、最近、工場で建物ユニットや屋根ユニットを製造し、この建物ユニットを施工現場で組み立てたユニット建物が多く建てられている。
そして、このユニット建物に上記防火軒天見切り材を採用しようとすると、このユニット建物は通常軒天井を工場で取り付けているために、防火軒天見切り材も工場で取り付ける必要がある。
しかし、防火見切り材の屋内側端部が壁下地材に当接している構造になっているために、防火軒天見切り材の壁見切り部や壁見切り部材を壁下地材に当接させながら、屋根ユニットを建物ユニットの上に据え付ける必要があり、施工し難い。
【００１２】
特に、特許文献２記載の防火軒天見切り材を、傾斜した軒天井に取り付けるときには、外壁面材に角度調節金物を取り付けていて、この階度調節金物の係止部に壁見切り部材の屋内側端部を係止させる構造になっているために、極めて施工し難い。
また、取付順序が略一定になっているために、建物ユニットを工場で製造するときに、この製造ラインに制約が生じて製造し難い。
従って、ユニット建物では、建物ユニットを据え付けた後に、防火軒天見切り材を取り付けたいという要望がある。
【００１３】
そこで、この発明の目的は、簡単な構造で製造し易く、種々な形状の換気通路を塞ぐことのない状態に取り付けることのできる防火軒天見切り材と、この防火軒天見切り材を軒天井面材や外壁面材を取り付けた後に取り付けたり交換できる防火軒天構造と、この防火軒天構造を備えた建物及びこの防火軒天構造に施工する防火軒天の施工方法を提供することである。
【００１４】
【課題を解決するための手段】
上記課題を解決するために、請求項１に記載の発明は、金属製板材が略Ｌ字形に成形されて、略Ｌ字形の一方の片が見切り片に他方の片が取付片になされ、この見切り片の上面には、体積膨張性不燃材が取り付けられている防火軒天見切り材を特徴とするものである。
【００１５】
請求項１記載の発明における金属製明における金属製板材が変形可能であると、軒天井と外壁面との角度に対応し易いので好ましい。かかる変形可能な金属板材とは、手や簡単な道具で折り曲げて見切り片と取付片との角度を調節できる厚みの金属製板材をいう。この角度を調節できる厚みとは金属の種類によって異なるが、鋼板の場合では、０．２〜１ｍｍの厚みが好ましい。
【００１６】
請求項１記載の発明では、略Ｌ字形の一方の片が見切り片に他方の片が取付片になされているが、この見切り片の先端を若干上方に折曲して水切りにすると、防火軒天見切り材の中に雨水が入り難くなるし、屋外から防火軒天見切り材の内部が見えなく、軒元が美麗になり好ましい。
【００１７】
本発明における体積膨張性不燃材とは、加熱すると膨張する無機物を主成分とするものであって、加熱すると膨張する無機物だけのものや、加熱すると膨張する無機物に合成樹脂やゴム等を混入した組成物や、更に、これ等に無機質充填材や難燃性物質を添加したもの等がある。
加熱すると膨張する無機物としてはバーキュライト、カオリン、マイカ、熱膨張性黒鉛等がある
【００１８】
また、合成樹脂やゴムとしては、ポリプロピレン樹脂、ポリエチレン樹脂等のポリオレフィン樹脂、ポリスチレン樹脂、アクリロニトリル−ブタジエン−スチレン共重合樹脂（ＡＢＳ）、ポリカーボネート樹脂、アクリル樹脂、塩化ビニル系樹脂、エポキシ樹脂、フエノール樹脂、ポリウレンタ樹脂、エチレン−プロピレン−ジエン共重合ゴム（ＥＰＤＭ）、クロロプレンゴム等がある。
特に、エポキシ樹脂が好適である。
【００１９】
また、無機質充填材としては、シリカ、硅藻土、アルミナ、酸化亜鉛、酸化チタン、酸化カルシウム、酸化マグネシウム、酸化鉄、酸化錫、酸化アンチモン、水酸化カルシウム、水酸化マグネシウム、珪酸カルシウム、タルク、クレー、マイカ、モンモリロナイト、ベントナイト、活性白土、セピオライト、木炭粉末、各種金属粉、グラファイト、フライアッシュ、ガラスビーズ、シリカ系バルーン、カーボンブラック、石膏繊維、ガラス繊維、炭素繊維、スラグ繊維、ステンレス繊維等がある。
【００２０】
また、難燃性物質としては、燐酸ナトリウム、燐酸カリウム、燐酸マグネシウム、ポリ燐酸アンモニウム等の燐化合物がある。
かかる体積膨張性不燃材として販売されている商品には、３Ｍ社のクロロプレンゴムとバーキュライトを含有する樹脂組成物のシート（商品名；ファイアバリア）、三井金属塗料社のポリウレタン樹脂と熱膨張性黒鉛を含有する樹脂組成物のシート（商品名；メジヒカット）等がある。
【００２１】
請求項２記載の発明は、請求項１記載の発明に係り、前記体積膨張性不燃材が、火災時の膨張の邪魔にならない防水性シートで覆われているものである。
【００２２】
この請求項２記載の発明に使用する火災時に膨張の邪魔にならない防水性シートとは、防水性がよく、しかも、火災時に体積膨張性不燃材が膨張するときに支障のないシートである。
かかる防水性シートとしては、シート自体が火災時に軟化したり消失する防水性のよいシートや、接着している接着剤や粘着剤が剥がれる等して体積膨張性不燃材の膨張に支障がない防水性のよいシートや、火災時に体積膨張性不燃材の膨張によって簡単に破ける防水性のよいシートがある。具体的には、塩化ビニル樹脂シートや、アルミ箔や、アルミ箔やステンレス箔等の金属箔に加熱されると粘着力がなくなり剥がれ易い粘着剤層を設けた粘着テープ等がある。
【００２３】
請求項３記載の発明は、請求項１記載の発明に係り、前記取付片の取付面には、体積膨張性不燃材が取り付けられているものである。
【００２４】
請求項４記載の発明は、軒天井の軒元には、小屋裏に通じる換気通路が設けられ、この軒天井から若干下方の外壁面材に、請求項１〜３のいずれかに記載されている防火軒天見切り材の取付片が取り付けられて、この防火軒天見切り材の見切り片と軒元との間に小屋裏に通じる換気通路が形成されている防火軒天構造を特徴とするものである。
【００２５】
請求項５記載の発明は、請求項４記載の防火軒天構造が備えられている建物を特徴とするものである。
【００２６】
この請求項５記載の発明における建物とは、木造の建物であってもよいし鉄骨系の建物であってもよいし、コンクリート系の建物であってもよい。又、施工現場で建てる建物であってもよいし、工場で建物ユニットを製造し、これを施工現場で組み立てるユニット建物であってもよい。
【００２７】
請求項６記載の発明は、軒天井の軒元には、小屋裏に通じる換気通路が設けられていて、この軒元から若干下方の外壁面材に、請求項１〜３のいずれかに記載されている防火軒天見切り材の取付片を、見切り片が軒天井の面に対して略平行になる状態に見切り片と取付片との角度を調節して、取り付け、この防火軒天見切りの見切り片と軒天井との間に換気通路を形成する防火軒天の施工方法を特徴とするものである。
【００２８】
この請求項４記載の発明や請求項６記載の発明における換気通路とは、換気のための空気が通過する通路のことであって、種々な形状のものがある。例えば、特許文献１や特許文献２に記載されているように、外壁面材と軒天面材との間に隙間を設けた換気通路もあるし、軒天面材の軒元に通孔を設けて換気通路としたものもある。本発明における換気通路は、これ等の全ての形状の換気通路を含むものである。
【００２９】
（作用）
請求項１記載の発明では、金属製板材が略Ｌ字形に成形されて、略Ｌ字形の一方の片が見切り片に他方の片が取付片になされ、この見切り片の上面には、体積膨張性不燃材が取り付けられている防火軒天見切り材であるので、金属製板材を略Ｌ字形に成形するだけでこの請求項１記載の防火軒天見切り材を製造することができ、極めて製造し易い。
【００３０】
また、軒天井には、略水平なものと、傾斜屋根面の勾配に略平行なものがあるし、又、屋根面の勾配にも種々な傾斜角度があるように、軒天井と外壁面材との角度にも種々なものがある。そして、この金属製板材が変形可能な金属製板材を略Ｌ字形に成形したものであると、この略Ｌ字形の一方の取付片と他方の見切り片との角度を調節することによって、この防火軒天見切り材を取り付けたときに見切り片が換気通路を塞ぐことのないようにすることができる。
【００３１】
また、防火軒天見切り材は簡単な形状であるし、変形可能な薄い金属製板材であるので、防火軒天見切り材を軒天井の途中で接続するときには、防火軒天見切り材の端部を重ねたり、端部を突き合わせ、この上又は下に防火軒天見切り材に沿う状態の接続材を重ねたりして炎が通過しないように接続することができし、入隅部や出隅部で接続するときには、接続部で対称になるように、防火軒天見切り材の端面を略４５°に切断し、この切断面を突き合わせ、この突き合わせ部分に防火軒天見切り材に沿う形状の出隅用や入隅用の接続材を重ねて炎が通過しないように接続することができ、施工し易い。
【００３２】
請求項２記載の発明では、請求項１記載の発明に係り、前記体積膨張性不燃材が、火災時の膨張の邪魔にならない防水性シートで覆われているので、次に示す作用がある。
【００３３】
即ち、一般に体積膨張性不燃材は水を吸収すると、火災時に、膨張し難くなるが、この請求項２記載の発明では、体積膨張性不燃材近傍に雨水や霧状の水滴が付着しても、この防水性シートが雨水や水滴を遮り、体積膨張性不燃材が濡れることがない。従って、火災時には、大きく膨張する性質が失われない。
しかも、火災時に体積膨張性不燃材が膨張する際に、この防水性シートが邪魔にならない。
【００３４】
請求項３記載の発明では、請求項１記載の発明に係り、前記取付片には、取付面に体積膨張性不燃材が取り付けられているので、この防火軒天見切り材の取付片を外壁面材に取り付けると、この取付片と外壁面材との間に体積膨張性不燃材が挟まれる。
通常、外壁面材の表面には外観をよくするために凹凸のある模様を施している。従って、この外壁面材に防火軒天見切り材の取付片を取り付けると、この外壁面材と取付片との間に隙間が生じている場合が多い。
【００３５】
そして、この外壁面材の屋外面を伝って上昇した炎が取付片と外壁面材との間の隙間に入っても、この請求項３記載の発明では、この取付片と外壁との間にある体積膨張性不燃材が膨張して、炎が取付片と外壁との間を遮断し、これ以上、炎が上昇しない。即ち、小屋裏に炎が入らないようになっている。
【００３６】
請求項４記載の発明では、軒天井の軒元には、小屋裏に通じる換気通路が設けられ、この軒元から若干下方の外壁面材に、請求項１〜３のいずれかに記載されている防火軒天見切り材の取付片が取り付けられて、この防火軒天見切りの見切り片と軒天井との間に小屋裏に通じる換気通路が形成されている防火軒天構造であるので、火災時には、体積膨張性不燃材が膨張し、換気通路を塞ぎ、防火性がよい防火軒天構造である。
しかも、この防火軒天見切り材は、軒元から若干下方に取り付ければよく、そのため、軒天井と関係なく、いつでも防火軒天見切り材を取り付けることができ、施工し易い。
【００３７】
また、防火軒天見切り材を変更したい時や、軒天見切り材をこの防火軒天見切り材に変更したいときや、また、万一火災が生じて体積膨張性不燃材が膨張してしまったり、長年月経過して、体積膨張性不燃材が劣化したとき等に、軒天井と関係なく防火軒天見切り材のみを簡単に交換することができる。
また、この防火軒天見切り材をユニット建物に採用しても、工場で軒天井を屋根ユニットに取り付け、施工現場で軒天見切り材を取り付けることができ、施工し易い。
【００３８】
請求項５記載の発明では、請求項４記載の防火軒天構造が備えられている建物であるので、この建物は防火性がよいし、施工し易い。
【００３９】
請求項６記載の発明では、軒天井の軒元には、小屋裏に通じる換気通路が設けられていて、この軒元から若干下方の外壁面材に、請求項１〜３のいずれかに記載されている防火軒天見切り材の取付片を、見切り片が軒天井の面に対して略平行になる状態に見切り片と取付片との角度を調節して、取り付け、この防火軒天見切りの見切り片と軒天井との間に換気通路を形成する防火軒天の施工方法であるので、軒天井と外壁面材との間の角度が種々異なっていても、この異なる角度に見切り片と取付片との角度を調節して、換気通路を確保することができる。しかも、防火軒天見切り材を外壁面材に取り付けるだけであって、軒天井と関係なく取り付けることができ、施工し易い。
【００４０】
また、防火軒天見切り材を変更したい時や、軒天見切り材をこの防火軒天見切り材に変更したいときや、また、万一火災が生じて体積膨張性不燃材が膨張してしまったり、長年月経過して、体積膨張性不燃材が劣化したとき等に、軒天井と関係なく防火軒天見切り材のみを簡単に交換することができる。
また、この防火軒天見切り材をユニット建物に採用しても、工場で軒天井を屋根ユニットに取り付け、軒天見切り材を施工現場で取り付けることができ、施工し易い。
【００４１】
【発明の実施の形態】
以下、本発明の実施の形態を実施例で説明する。
（実施例）
図１〜図６は本発明の一実施例を示すもので、図１は、建物の防火軒天見切り材の取付部分を示す断面図、図２は建物の防火軒天見切り材の接続部分を示す断面図、図３は防火軒天見切り材を示すもので、（イ）は斜視図、（ロ）は正面図、（ハ）は（ロ）のＡ−Ａ線における断面図、（ニ）は平面図、図４は防火軒天見切り材の接続材を示すもので、（イ）は斜視図、（ロ）は正面図、（ハ）は側面図、（ニ）は平面図、図５は出隅部分の防火軒天見切り材を示すもので、（イ）は平面図、（ロ）は正面図、（ハ）は（ロ）のＢ−Ｂ線における断面図、図６は入隅部分の防火軒天見切り材を示すもので、（イ）は平面図、（ロ）は正面図、（ハ）は（ロ）のＣ−Ｃ線における断面図である。
【００４２】
図１〜６において、Ｈは建物であり、この建物Ｈでは、図１及び図２に示すように、建物本体１の上に屋根本体２が設けられている。
なお、図１及び図２では、右側に建物本体１が、又、左側に軒先が示されている。
建物本体１は矩形の四隅に立設された図示しない柱と、この柱の上端部を連結した断面コ字形の鋼製長尺体である天井梁１１と、柱の下端部を連結する図示しない床梁とからなる骨格を備え、この骨格の外側面に外壁パネル３が取り付けられたものである。
【００４３】
この外壁パネル３は、図１及び図２に一部示されているように、四角筒状の鋼製長尺体を枠組された骨格３１の屋外面に硬質木片セメント板の外壁面材３２が取り付けられたものである。
屋根本体２は、図１及び図２に一部示されている屋根梁２１の上に図示しない束が立設され、この束と屋根梁２１に図示しない梁や垂木が架け渡され、この垂木の上に屋根下地材が取り付けられ、この上に屋根材が取り付けられたものであり、軒先にはＬ字形の軒先吊材２３、２４が垂下し、この軒先吊材２３、２４の内側が小屋裏２５となっている。
そして、この軒先吊材２３、２４の下側には軒天井４が取り付けられている。
【００４４】
この軒天井４の構造は、支柱２３の下端に断面Ｌ字形の枠材４１が取り付けられ、この枠材４１に厚みが略０．４ｍｍの塩化ビニル鋼板の軒天面材４２が取り付けられ、この軒天面材４２の上にロックウールの断熱材４３が取り付けられたものである。そして、軒天井４と外壁面材３２の間には隙間が設けられ、この隙間が小屋裏２５に通じる換気通路Ｓとなっている。
また、外壁面材３２には、軒天井４の軒元から若干下方の位置に防火軒天見切り材５が取り付けられて、この防火軒天見切り材５で換気通路Ｓの下方を塞ぎ、火災時に炎が小屋裏２５に入らないようになっている。
【００４５】
この防火軒天見切り材５は、図３に示すように、変形可能な厚み略０．４ｍｍの鋼板が略Ｌ字形に成形され、略Ｌ字形の一方の片が見切り片５１となり、他方の片が取付片５２となっている。
見切り片５１の幅は略６０ｍｍであり、この見切り片５１の先端には略垂直に略７ｍｍ立ち上げられた水切り５３が設けられ、見切り片５１の両端部には通孔５１１が設けられている。
【００４６】
取付片５２は幅が略２８ｍｍであり、先端部の１２ｍｍの部分が屋外方向に折曲されて折曲部５２１となっているし、両端部には通孔５２２が設けられている。
そして、この見切り片５１の上面には厚みが略４．５ｍｍ、幅が略１５ｍｍの体積膨張性不燃材５５が取り付けられ、取付片５２の屋内側面に厚みが略１ｍｍ、幅が略８ｍｍの体積膨張性不燃材５６が取り付けられ、見切り片５１の下面と取付片の屋外面には外壁面材３２と略同じ化粧、例えば、リシン吹きつけ等の化粧が施されている。
【００４７】
このように、防火軒天見切り材５は極めて簡単な構造をしていて、金属製板材を略Ｌ字形に成形するだけで製造でき、極めて製造し易い。
なお、この体積膨張性不燃材５５は見切り片６１の両端から長さ略３０ｍｍの部分には、取り付けられてないし、取付片５２の両端部には、体積膨張性不燃材５６は取り付けられてない。
【００４８】
この防火軒天見切り材５の取付構造は、図１に示すように、防火軒天見切り材５の取付片５２を軒天井４の若干下方の位置の外壁面材３２に押し付けられ、通孔５２２に通されたビス５９で外壁面材３２に取り付けられている。
この防火軒天見切り材５は長さが略９００ｍｍであり、軒天井４より短いので、この防火軒天見切り材５は軒天井の途中で接合材６で別の防火軒天見切り材５に接合されている。
【００４９】
このとき使用する接合材６は、長さが略６０ｍｍで防火軒天見切り材５に沿う構造をしている。
即ち、接合材６は、図４に示すように、厚み略０．４ｍｍの鋼板が略Ｌ字形に成形され、略Ｌ字形の一方の片が見切り片６１となり、他方の片が取付片６２となっている。
見切り片６１は、幅が６０ｍｍであり、先端には略垂直に略７ｍｍ立ち上げられた水切り６３が設けられ、両端部には通孔６１１が設けられている。
【００５０】
取付片６２は、幅が略２８ｍｍであり、両端部には通孔６２２が設けられている。
そして、この見切り片６１の上面には厚みが略４．５ｍｍ幅が略１５ｍｍの体積膨張性不燃材６５が取り付けられ、取付片６２の屋内側面に厚みが略１ｍｍ、幅が略８ｍｍの体積膨張性不燃材６６が取り付けられている。
【００５１】
この接続材６で防火軒天見切り材５を軒天井の途中で接続する構造は、図２に示すように、防火軒天見切り材５の端部が突き合わされ、この突き合わされた両方の端部の体積膨張性不燃材５５が設けられてない場所に、上方から図４に示す接続材６が差し渡され、通孔５１１と通孔６１１に通されたリベット６８で接続材６が防火軒天見切り材５に取り付けられ、通孔５２２と通孔６２２に通されたビス６９で防火軒天見切り材５と接続材６が外壁面材３２に取り付けられている。
また、この防火軒天見切り材５は出隅や入隅でも出隅接合材７や入隅接合材８で接続されている。
【００５２】
このとき使用する出隅接合材７は、第１接合材７１と第２接合材７２とからなる。第１接合材７１は厚み略０．４ｍｍの鋼板が図５に示す形状に切断されたもので、この第１接合材７１の両端部には通孔７１１が設けられ、上面には、厚みが略４．５ｍｍ幅が略１５ｍｍの体積膨張性不燃材７５が取り付けられている。又、第２接合材７２は厚み略１．２ｍｍの鋼板を略直角に折曲した小片であり、この第２接合材７５には通孔７２２が設けられている。
【００５３】
そして、この防火軒天見切り材５の出隅部分の接続構造は、図５に示すように、防火軒天見切り材５の屋外側の先端が４５°の角度になるように、端部が切断され、この防火見切り材５の２個の端部が突き合わせされ、この端部の上に第１接続材７１が架け渡される状態に載せられ、見切り部５１に新たに設けられた通孔５１５と第１接続材に既に設けられている通孔７１１に通されたリベット７８で第１接続材７１が防火軒天見切り材５に取り付けられ、又、防火軒天見切り材５の折曲部５２１に第２接続材７２が重合され、折曲部５２１に設けられた通孔通孔５２５と第２接続材に設けられている通孔７２２に通されたリベット７９で第２接続材７２が防火軒天見切り材５に取り付けられた構造をしている。
【００５４】
また、入隅接合材８は、第１接合材８１と第２接合材８２とからなる。第１接合材７１は厚み略０．４ｍｍの鋼板が図６に示す形状に切断されたもので、この出隅接合材８の両端部には通孔８１１が設けられ、上面には、厚みが略４．５ｍｍ幅が略１５ｍｍの体積膨張性不燃材８５が取り付けられている。又、第２接合材８２は厚み略１．２ｍｍの鋼板を略直角に折曲した小片であり、この第２接合材８２には通孔８２２が設けられている。
【００５５】
そして、この防火軒天見切り材５の入隅部分の接続構造は、図６に示すように、防火軒天見切り材５の屋内側の先端が４５°の角度になるように、端部が切断され、この防火見切り材５の２個の端部が突き合わせされ、この端部の上に第１接続材８１が架け渡される状態に載せられ、通孔５１５と通孔８１１に通されたリベット８８で第２接続材７１が防火軒天見切り材５に取り付けられ、防火軒天見切り材５の折曲部５２１に第２接続材８２を重合し、通孔５２５と通孔８２２に通されたリベット８９で第２接続材８２が防火軒天見切り材５に取り付けられている。
【００５６】
一般に体積膨張性不燃材５５、６５、７５、８５は水を吸収すると、火災時に、膨張し難くなるが、この体積膨張性不燃材５５、６５、７５、８５の表面をアルミニウム箔に粘着剤層が設けられたアルミニウム粘着テープの防水性シートで覆って、この防水性シートで体積膨張性不燃材５５、６５、７５、８５を取り付けると、体積膨張性不燃材近傍に雨水や霧状の水滴が付着しても、この防水性シートが雨水や水滴を遮り、体積膨張性不燃材５５が濡れることがない。従って、加熱されたときに大きく膨張する性質が失われなく好ましい。
【００５７】
しかも、この防水性シートは、火災時に、体積膨張性不燃材５５、６５、７５、８５の膨張によってアルミニウム箔が破けるし、粘着剤が高温になると、剥がれ易いので、体積膨張性不燃材５５、６５、７５、８５の膨張の邪魔にならない。
９は防鳥網であり、図１及び図２に示すように、この防鳥網９は防火軒天見切り材５の屋外側先端部と軒天井４との間に設けられていて、この間から鳥が入って内部に巣等を作ることがないようにしている。
９５はコーキング材であり、このコーキング材９５は防火軒天見切り材５の取付片５２と外壁面材３２との間に注入され、この間を水密にするものである。
【００５８】
次に、この防火用見切り材５の施工方法及び作用について説明する。
先ず、防火軒天見切り材５を取り付けたときに、見切り片５１が軒天井４の面に対して略平行になるように、見切り片５１と取付片５２との角度を調節する。
即ち、軒天井４には、略平行なものと、屋根面の勾配に略平行なものとあるし、屋根面の勾配にも種々な傾斜角度があるように、軒天井４と外壁面材３２との角度にも種々なものがある。しかし、この実施例では、厚みが略０．４ｍｍと薄く、変形可能な鋼板が使用されているので、防火軒天見切り材５を取り付けたときに、見切り片５１が軒天井４の面に対して略平行になるように、取付片５２と見切り片５１との角度を簡単に調節することができるのである。
【００５９】
次に、防火軒天見切り材５の取付片５２を、軒天井４の軒元より若干下方の位置にある外壁面材３２に取り付ける。
このように、見切り片５１を調節して、取付片を換気通路Ｓの下方に取り付けると、予め、見切り片５１が軒天井４の面に対して略平行になるように調節されているので、見切り片５２が換気通路Ｓを塞ぐことがない。
【００６０】
また、防火軒天見切り材５を軒天井４の途中で接続するときには、防火軒天見切り材５の端部を突き合わせ、図２に示すように、この突き合わせた防火軒天見切り材５の体積膨張性不燃材５５のない場所に、上方から図４に示す接続材６を差し渡し、通孔５１１と通孔６１１に通されたリベット６８で両者を接続し、通孔５２２と通孔６２２に通されたビス６９で両者を外壁面材３２に取り付ける。
【００６１】
また、出隅部では、防火軒天見切り材５の屋外側の端部の先端が略４５°の角度になるように切断し、この防火軒天見切り材５の端部に通孔５１５と５２５を設ける。
そして、この防火軒天見切り材５の端部を突き合わせ、この突き合わせ部分の水切り片５１の上に、図５に示すように、第１接続材７１を載せ、通孔５１５と通孔７１１に通されたリベット７８で、第１接続材７１を取り付け、折曲部５２１に第２接続材７２を重合し、この通孔５２５と通孔７２２に通されたリベット７９で第２接続材７５を取り付けて接続する。
【００６２】
また、入隅部では、防火軒天見切り材５の端部を略４５°の角度に切断し、この防火軒天見切り材５の端部に通孔５１５と５２５を設ける。
そして、この防火軒天見切り材５の端部を突き合わせ、この突き合わせ部分の水切り片５１の上に、図６に示すように、第１接続材８１を載せ、通孔５１５と通孔８１１に通されたリベット８８で、第１接続材８１を取り付ける。又、折曲部５２１に第２接続材８２を重合し、この通孔５２５と通孔８２１に通されたリベット８９で第２接続材８２を取り付けて接続する。
【００６３】
このように、防火軒天見切り材５は簡単な構造であり、手や簡単な道具で折曲できるほどの薄い金属製板材であるので、防火軒天見切り材５の端部を端部を突き合わせ、接続材６で接続したり、この防火軒天見切り材５の端面を略４５°の角度に切断し、この切断面を突き合わせて接続材６、出隅用の接続材７や入隅用の接続材８で接続することができる。
最後に、コーキング材９５を防火軒天見切り材５の取付片５２と外壁面材３２の間に注入したり、防鳥網９を防火軒天見切り材５の屋外側先端部と軒天井４との間に設けると防火軒天見切り材５を取り付ける施工は完了する。
【００６４】
このように防火軒天見切り材５を取り付けると、防火軒天見切り材５は軒天井４と関係なく取り付けることができ、施工し易い。
また、防火軒天見切り材５を変更したい時や、軒天見切り材をこの防火軒天見切り材５に変更したいときや、また、万一火災が生じて体積膨張性不燃材が膨張してしまったり、長年月経過して、体積膨張性不燃材が劣化したとき等に、軒天井４と関係なく、防火軒天見切り材５のみを簡単に交換することができ、極めて便利である。
【００６５】
また、この防火軒天見切り材５をユニット建物に採用しても、軒天井４を工場で取り付け、軒天見切り材５を施工現場で取り付けることができ、施工し易い。
このようにして防火軒天見切り材５を取り付けると、防火軒天見切り材５と軒天井４との間から屋根裏に通じる換気通路Ｓが完成する。
そして、火災時には、体積膨張性不燃材５５、６５が膨張して換気通路Ｓを塞ぐので、炎が屋根裏２５に入らず防火性能のよい建物である。
【００６６】
また、取付片５２には、取付面に体積膨張性不燃材５６、６６が取り付けられているので、この防火軒天見切り材の取付片５２が外壁面材３２に取り付けられると、この取付片５２と外壁面材３２との間に体積膨張性不燃材５６、６６が挟まれる。従って、この外壁面材を伝って上昇した炎が外壁面材３２の化粧材の凹凸によって外壁面材３２と取付片との間の隙間に入っても、この取付片５２と外壁面材３２との間にある体積膨張性不燃材５６、６６が膨張して、炎が取付片と外壁との間で遮断され、小屋裏２５に炎が入らない。
【００６７】
【発明の効果】
以上説明してきたように、請求項１に記載の発明は、金属製板材が略Ｌ字形に成形されて、略Ｌ字形の一方の片が見切り片に他方の片が取付片になされ、この見切り片の上面には、体積膨張性不燃材が取り付けられている防火軒天見切り材であるから、金属製板材を略Ｌ字形に成形するだけで製造でき、極めて製造し易いし、防火軒天見切り材を軒天井の途中で接続するときや、入隅部や出隅部で接続するときには、防火軒天見切り材を接続材で簡単に接続することができ、施工し易い。
なお、軒天井と外壁面材との角度にも種々なものがあるが、金属製板材が変形可能であると、取付片と見切り片との角度を調節することによって、取り付けたときに見切り片で換気通路を塞ぐことがないようにすることができる。
【００６８】
請求項２記載の発明は、請求項１記載の発明に係り、前記体積膨張性不燃材が、火災時の膨張の邪魔にならない防水性シートで覆われているから、体積膨張性不燃材近傍に雨水や霧状の水滴が付着しても、この防水性シートが雨水や水滴を遮り、体積膨張性不燃材が濡れることがない。従って、加熱したときに大きく膨張する性質が失われないし、火災時に体積膨張性不燃材が膨張する際に、この防水性シートが邪魔にならない。
【００６９】
請求項３記載の発明は、請求項１記載の発明に係り、前記取付片の取付面には、体積膨張性不燃材が取り付けられているから、外壁面材の表面に凹凸の模様が施されていて、火災時に炎が外壁面材と取付片との間の隙間に入っても、この取付片と外壁との間にある体積膨張性不燃材が膨張して、炎が取付片と外壁との間で遮断され、小屋裏に炎が入らない。
【００７０】
請求項４記載の発明は、軒天井の軒元には、小屋裏に通じる換気通路が設けられ、この軒元から若干下方の外壁面材に、請求項１〜３のいずれかに記載されている防火軒天見切り材の取付片が取り付けられて、この防火軒天見切り材の見切り片と軒天井との間に小屋裏に通じる換気通路が形成されている防火軒天構造であるから、火災時には、体積膨張性不燃材が膨張し、換気通路を塞ぎ、防火性がよい。
【００７１】
しかも、この防火軒天見切り材は、軒元から若干下方に取り付ければよく、そのため、軒天井と関係なく取り付けることができ、施工し易いし、防火軒天見切り材のみを簡単に交換することができ、極めて不便である。
また、この防火軒天見切り材をユニット建物に採用しても、軒天井を工場で取り付け、軒天見切り材を施工現場で取り付けることができ、施工し易い。
【００７２】
請求項５記載の発明は、請求項４記載の防火軒天構造が備えられている建物であるから、この建物は防火性がよいし、施工し易い。
【００７３】
請求項６記載の発明は、軒天井の軒元には、小屋裏に通じる換気通路が設けられていて、この軒元から若干下方の外壁面材に、請求項１〜３のいずれかに記載されている防火軒天見切り材の取付片を、見切り片が軒天井の面に対して略平行になる状態に、見切り片と取付片との角度を調節して取り付けて、この防火軒天見切りの見切り片と軒天井との間に換気通路を形成する防火軒天の施工方法であるから、軒天井と外壁面材とが種々な角度になっていても、取り付けたときに換気通路を塞ぐことがないように取り付けることができるし、軒天と関係なく取り付けることができ、施工し易いし、防火軒天見切り材を簡単に交換することができ、極めて便利である。
また、この防火軒天見切り材をユニット建物に採用しても、軒天井を工場で取り付け、軒天見切り材を施工現場で取り付けることができ、施工し易い。
【図面の簡単な説明】
【図１】本発明の一実施例を示すもので、建物の防火軒天見切り材の取付部分を示す断面図である。
【図２】建物の防火軒天見切り材の接続部分を示す断面図である。
【図３】防火軒天見切り材を示すもので、（イ）は斜視図、（ロ）は正面図、（ハ）は（ロ）のＡ−Ａ線における断面図、（ニ）は平面図である。
【図４】防火軒天見切り材の接続材を示すもので、（イ）は斜視図、（ロ）は正面図、（ハ）は側面図、（ニ）は平面図である。
【図５】出隅部分の防火軒天見切り材を示すもので、（イ）は平面図、（ロ）は正面図、（ハ）は（ロ）のＢ−Ｂ線における断面図である。
【図６】入隅部分の防火軒天見切り材を示すもので、（イ）は平面図、（ロ）は正面図、（ハ）は（ロ）のＣ−Ｃ線における断面図である。
【符号の説明】
Ｈ                建物
Ｓ                換気通路
１                建物本体
２                屋根本体
３                外壁パネル
３２              外壁面材
４                軒天井
４２              軒天面材
５                防火軒天見切り材
５１              見切り片
５２              取付片
５５              体積膨張性不燃材
５６              体積膨張性不燃材
６                接合材
７                出隅の接合材
８                入隅の接合材
【図１】
2004251022.tif 000003
【図２】
2004251022.tif 000004
【図３】
2004251022.tif 000005
【図４】
2004251022.tif 000006
【図５】
2004251022.tif 000007
【図６】
2004251022.tif 000008